(57)【要約】【課題】  刃物交換を必要とせず、かつ、加工時間を長くすることもなしに、種々の長さのほぞを加工できる様にする。【解決手段】  以下の構成を備えたことを特徴とする柱材プレカット加工機。(1)ほぞ先面取りカッタ722，732を、主軸に対して、軸方向移動可能でかつ回転力の伝達を受け得る様にキー結合によって嵌合させたこと。(2)ほぞ先面取りカッタを軸方向に移動する移動機構831，832，833を備えていること。(3)移動機構を駆動制御するほぞ長さ変更用サーボモータ835を備えていること。(4)ほぞ加工に先立って、ほぞ長さ変更用サーボモータを駆動制御し、ほぞ先面取りカッタの軸方向位置を加工データに応じて変更するほぞ長さ変更制御を実行する制御装置を備えていること。(5)ほぞ切削カッタ721，731及びほぞ先面取りカッタ722，732を、主軸の両端側にそれぞれ取り付けたこと。(6)移動機構を、各ほぞ先面取りカッタを連動して移動させる様に構成したこと。【選択図】  図７
2005144964.tif 000002
【特許請求の範囲】
【請求項１】
少なくとも前後及び上下に位置制御可能なほぞ加工用主軸モータの主軸にほぞ切削カッタ及びほぞ先面取りカッタを装着し、加工データに基づいて前記ほぞ加工用主軸モータの駆動制御と位置制御とを行うことにより、ほぞ加工位置に固定された木材の端面に対するほぞ加工を実行する様に構成され、さらに以下の構成を備えたことを特徴とする柱材プレカット加工機。
（１）  前記ほぞ先面取りカッタを、前記主軸に対して、軸方向移動可能でかつ回転力の伝達を受け得る様に取り付けたこと。
（２）  前記ほぞ先面取りカッタを軸方向に移動する移動機構を備えていること。
（３）  前記移動機構を駆動制御するほぞ長さ変更用サーボモータを備えていること。
（４）  ほぞ加工に先立って、前記ほぞ長さ変更用サーボモータを駆動制御し、前記ほぞ先面取りカッタの軸方向位置を加工データに応じて変更するほぞ長さ変更制御装置を備えたこと。
【請求項２】
さらに以下の構成をも備えていることを特徴とする請求項１記載の柱材プレカット加工機。
（５）  前記ほぞ切削カッタ及び前記ほぞ先面取りカッタを、前記主軸の両端側にそれぞれ取り付けたこと。
（６）  前記移動機構を、前記各ほぞ先面取りカッタを連動して移動させる様に構成したこと。
【発明の詳細な説明】
【技術分野】
【０００１】
本発明は、木材プレカット加工機に係り、特に、柱材の両端部のほぞ加工に適するプレカット加工機に関する。
【背景技術】
【０００２】
木造住宅の柱材には、上下の横架材と接合するために下端側の下ほぞと、上端側の上ほぞとが設けられる。このため、従来より、柱材加工機のほぞ加工ユニットにおいては、ほぞ取りモーターの主軸の両端に、ほぞ取りカッターと面取りカッターとを一体化した刃物がそれぞれ装着されている（特許文献１）。そして、この刃物により、ほぞ取りと、ほぞ先端の面取りとを同時に行う様に構成されている。
【０００３】
ここで、ほぞの加工長さは、主軸に装着した刃物におけるほぞ取りカッターと面取りカッターの位置関係によって決まる。このため、従来の加工機では、刃物を取り替えないとほぞ長さを変更することができなかった。
【０００４】
このため、加工刃を交換することなく、種々の長さの下ほぞを加工することができる柱材のほぞ加工装置が提案されている（特許文献２）。この特許文献２に開示された下ほぞ加工装置は、図１８に示す様に、ほぞ加工モータの主軸Ａに、大径の加工刃Ｂと、小径の加工刃Ｃとが同軸上に組み合わされた刃物を取り付けたもので、大径の加工刃Ｂと小径の加工刃Ｃの接合部にほぞ先の面取り用の刃Ｄを形成してある。そして、図１８（Ａ）に示す様に、小径加工刃Ｃと面取り刃物Ｄとにより加工した後、図１８（Ｂ）に示す様に大径の加工刃Ｂにより削り込むことで、下ほぞの長さを変更するものである。
【特許文献１】特公平１−５５９６３号（第８欄２０〜３５行、第３図）
【特許文献２】特開２００３−２３６８０２（段落０００９、図４、図５）
【発明の開示】
【発明が解決しようとする課題】
【０００５】
特許文献１の装置では、ほぞの長さを変更するためには刃物の交換が必要となるという問題がある。
【０００６】
特許文献２の装置では、刃物を交換せずにほぞの長さを変更することができるが、ほぞ加工に当たって主軸を水平方向に移動して小径加工刃Ｃと大径加工刃Ｂの位置を変更する二段階の切削作業となり、これをほぞの両面について実行しなければならないので、主軸の上下動を４回行う必要があり、加工に時間がかかるという問題がある。
【０００７】
そこで、本発明は、刃物交換を必要とせず、かつ、加工時間を長くすることもなしに、種々の長さのほぞを加工できる様にすることを目的とする。
【課題を解決するための手段】
【０００８】
上記目的を達成するためになされた本発明の柱材プレカット加工機は、少なくとも前後及び上下に位置制御可能なほぞ加工用主軸モータの主軸にほぞ切削カッタ及びほぞ先面取りカッタを装着し、制御装置が加工データに基づいて前記ほぞ加工用主軸モータの駆動制御と位置制御とを行うことにより、ほぞ加工位置に固定された木材の端面に対するほぞ加工を実行する様に構成され、さらに以下の構成を備えたことを特徴とする柱材プレカット加工機。
（１）  前記ほぞ先面取りカッタを、前記主軸に対して、軸方向移動可能でかつ回転力の伝達を受け得る様に取り付けたこと。
（２）  前記ほぞ先面取りカッタを軸方向に移動する移動機構を備えていること。
（３）  前記移動機構を駆動制御するほぞ長さ変更用サーボモータを備えていること。
（４）  ほぞ加工に先立って、前記ほぞ長さ変更用サーボモータを駆動制御し、前記ほぞ先面取りカッタの軸方向位置を加工データに応じて変更するほぞ長さ変更制御装置を備えていること。
【０００９】
本発明の柱材プレカット加工機によれば、ほぞ長さ変更制御装置が、ほぞ加工に先立って、ほぞ先面取りカッタを軸方向に移動させ、ほぞ切削カッタとほぞ先面取りカッタの位置関係を、加工データに応じた長さのほぞを加工し得る様に変更する。この結果、本発明の柱材プレカッタ加工機によれば、刃物交換をしたり、加工工程を増加させたりすることなしに、種々の長さのほぞを加工することができる。
【００１０】
なお、上記（１）の構成は、ほぞ先面取りカッタを、キー結合又はスプライン結合によって主軸に嵌合させることで具体的に実現することができる。移動機構は、例えば、ほぞ先面取りカッタを固定した移動体を、ネジ送り機構やラックピニオン機構などの軸方向送りが可能な機構で構成すればよい。
【００１１】
ここで、本発明の柱材プレカット加工機は、さらに以下の構成をも備えることができる。
（５）  前記ほぞ切削カッタ及び前記ほぞ先面取りカッタを、前記主軸の両端側にそれぞれ取り付けたこと。
（６）  前記移動機構を、前記各ほぞ先面取りカッタを連動して移動させる様に構成したこと。
【００１２】
この（５）及び（６）の構成をも備えることで、木材を反転させることなしに、搬送ライン上を軸方向に移動させる途中で、下ほぞと上ほぞの両方を加工することができる。そして、この際に、前述の如く、ほぞ加工に先立って制御装置にほぞ長さ変更制御を実行させることで、種々の長さの下ほぞと上ほぞとを加工することができる。また、移動機構を上記（６）の構成としたので、ほぞ長さ変更用サーボモータを複数設けなくても下ほぞ及び上ほぞの長さ変更を実行することができる。なお、下ほぞと上ほぞは同時に加工せず、かつ、下ほぞ加工と上ほぞ加工の間には木材の搬送、固定が実行されるので、その間にほぞ長さ変更制御を実行することで、連動させたことによる加工時間の遅れを招くことはない。
【００１３】
ここで、ほぞ先面取りカッタを連動して移動させる構成の具体例としては、例えば、ほぞ先面取りカッタを両端に固定する移動体と、この移動体を軸方向移動させるネジ送り機構又はラックピニオン機構などを採用すればよい。
【発明の効果】
【００１４】
本発明によれば、刃物交換を必要とせず、かつ、加工時間を長くすることもなしに、種々の長さのほぞを加工することができる。
【発明を実施するための最良の形態】
【００１５】
以下、本発明の実施の形態について、図面を参照しつつ説明する。実施の形態は、柱材プレカット加工機に関するものである。図１，図２に示す様に、この柱材プレカット加工機１は、大きく分けて、投入コンベア部１００と、加工機本体部３００と、取り出しコンベア部９００とから構成されている。
【００１６】
投入コンベア部１００には、図１，図２に示す様に、素材ストックコンベア１１０と、移送体１２０と、投入コンベア１３０と、残材取り出し装置１４０とが備えられている。
【００１７】
素材ストックコンベア１１０は、投入コンベア１３０側が低くなる様に傾斜した複数列のホイールコンベアを備えたものである。また、素材ストックコンベア１１０は、その排出側（投入コンベア側）の高さが、投入コンベア１３０のローラ面よりも低くなっている。従って、加工材は、この素材ストックコンベア１１０により、ローラコンベア１３０の正面位置まで搬送され、ローラコンベア１３０の正面に設置されているストッパに押し付けられた状態にストックされる。
【００１８】
移送体１２０は、３本のエアシリンダにより、本体の昇降動作及び前後移動動作と、持ち上げ部の前後位置シフト動作とを行うことができる様に構成されている。この前後位置シフト動作は、移送すべき加工材の材幅の大きいものと小さいものの２段階位置のいずれかに、持ち上げ部を移動させて待機しておくための動作である。加工材の投入前には、移送体１２０は、素材投入コンベア１１０によってローラコンベア１３０正面のストッパ当設位置まで供給された加工材の下部において、加工材の幅に応じて前後シフトした状態で待機した状態となる。そして、加工材投入の指令が入力されると、本体の上昇動作を実行して加工材を素材ストックコンベア１１０から持ち上げ、続いて本体の前進動作を行って加工材を投入コンベア１３０の上方に横移動させてから本体を下降することにより、加工材を投入コンベア１３０の上に供給する。この供給動作が完了したら本体を前後移動させて待機位置に戻る。なお、この移送体の作動によって先頭の加工材が持ち上げられると、素材ストックコンベア１１０の傾斜により、次の加工材が先頭位置へと移動してくる。
【００１９】
投入コンベア１３０は、フリーローラコンベアを備えたもので、加工材を載置し、本体部３００に送り込む役割と、本体部３００から送り側に戻されてきた残材を受ける役割をもっている。
【００２０】
残材取り出し装置１４０は、３本のエアシリンダにより、持ち上げ部の昇降動作と、本体の前後移動動作及び昇降動作とを行うことができる様に構成されている。そして、残材を排出する際には、持ち上げ部を上昇させて投入コンベア１３０から残材を持ち上げ、後方移動によって残材を投入コンベア１３０の後方に移動し、その後下降動作を行うことで残材を投入コンベア１３０の下方に配置されて前方へ向かって下り傾斜となっているホイールコンベア上に移す動作を実行する。こうして投入コンベア下のホイールコンベアに移された残材は、ホイールコンベアの傾斜によって投入コンベア１３０の脚の間を通って加工機の正面側に排出される。
【００２１】
本体部３００は、図１〜図４に示す様に、テーブルローラ群３１０と、第１〜第５ピンチローラ３２１〜３２５と、第１，第２傾斜ローラ３３１，３３２と、第１〜第５バイス３４１〜３４５と、第１上クランプ３５１と、第２上クランプ３５２と、第１，第２求芯ローラ３６１，３６２と、第１，第２上押さえローラ３７１，３７２と、第１〜第４横転装置３８１〜３８４と、固定木ロストッパ３９０と、クロスカットソーユニット５００と、面加工ユニット６００Ａ，６００Ｂと、ほぞ加工ユニット７００とを備えている。ここで、面加工ユニット６００Ａ，６００Ｂは、加工機における面加工位置Ｐ１に対して加工機正面側と背面側の対面する位置に設置されている。また、ほぞ加工位置Ｐ２，Ｐ３は、ほぞ加工ユニットが木材の後端の木口部に対する加工を行っているときに、面加工位置Ｐ１に次の木材の先端を送り込み、ストッパ８７３により位置決めしておける様に、木材送り方向に離して設定されている。
【００２２】
テーブルローラ群３１０は、図３，図４に示す様に、バイステーブル上やほぞ取りユニット７００の後部に装備された回転自在のローラ群である。テーブルローラ群３１０は、ローラ上に加工材を載置し、加工材をその長手方向（左右方向）に移送する役割を持っている。なお、加工材移送のための駆動は、加工材移送位置決めユニット９２０（後述）又は第１〜第５ピンチローラ３２１〜３２５による。
【００２３】
第１〜第５ピンチローラ３２１〜３２５は、ギヤーモータにより回転し、エアシリンダにより昇降する様に構成されている。これらは、投入コンベア１３０及び本体のローラ上の加工材を押さえつけながら長手（左右）方向に送る動作を実行する役割を持っている。なお、各ピンチローラ３２１〜３２５は、加工材検出センサーによる加工材の有無検出で昇降する様に構成されている。
【００２４】
第１，第２傾斜ローラ３３１，３３２は、エアシリンダによりローラ前側（正面側）が下方向に傾斜し、他のローラ上面より低くなる様に構成されている。この傾斜ローラ３３１，３３２は、切断後の端材及び短い残材を機械前側に落下させる役割をもっている。
【００２５】
第１〜第５バイス３４１〜３４５は、油圧駆動で加工材の幅方向（機械の前後方向）に開閉する。これらのバイス３４１〜３４５は、加工材を幅方向に求芯状態でクランプ固定する役割をもっている。
【００２６】
第１上クランプ３５１は、第４バイス３４４の上部に有り、油圧シリンダで上下方向に動作する。この第１上クランプ３５１は、加工材をローラ面に押しつけ固定する役割を持っている。
【００２７】
第２上クランプ３５２は、第５バイス３４５の上部に２台有り、油圧シリンダで上下方向に動作する。この第２上クランプ３５２は、加工材をローラ面に押しつけ固定する役割を持っている。なお、加工種類により２台が選択的に動作する。
【００２８】
第１，第２求芯ローラ３６１，３６２は、エアシリンダにより加工材の幅方向に開閉する。これらの求芯ローラ３６１，３６２は、加工材を求芯状態で長手方向移動可能にクランプする役割を持っている。
【００２９】
第１，第２上押さえローラ３７１，３７２は、第１，第２求芯ローラ３６１，３６２の上部に位置し、油圧シリンダで上下方向に動作する。これらの上押さえローラ３７１，３７２は、油圧シリンダの圧力を制御することで、加工種類に応じて、加工材を長手方向移動可能にローラ面に押しつける場合は弱く、固定的に押し付ける場合は強く押さえる役割を果たしている。
【００３０】
以上の構成により、この柱材プレカット加工機１で加工材を固定して加工する場合は、バイス３４１〜３４５と上クランプ３５１，３５２又は上押さえローラ３７１，３７２の内で必要なものを動作させ、強い押さえにより加工材をしっかりと固定することができる。また、しゃくり加工の様に加工材を移送しながら加工する場合は、求芯ローラ３６１，３６２と上押さえローラ３７１，３７２の内の必要なものを動作させ、弱い押さえにより加工材を移送可能な状態に押さえることができる。
【００３１】
第１〜第４横転装置３８１〜３８４は、２本のエアシリンダにより、加工材受け部の昇降動作と回転動作とを実行する。この横転装置３８１〜３８４は、コンベア及び本体のローラ上の加工材を持ち上げて横転させる役割を持っている。なお、この横転装置３８１〜３８４は、加工材受け部を正転方向と逆転方向に回転することができ、１動作につき加工材を９０度横転させることができる。
【００３２】
固定木ロストッパ３９０は、ほぞ加工ユニット７００の左右動ベース８５１（後述する）の上に固定されている。下ほぞ加工時に退避の必要があるためこの構造になっている。従って、左右動位置が一定している上ほぞ加工時にのみ機能できる。この固定木口ストッパ３９０は、エアシリンダによって上下（出没）する。なお、ストッパヘッド面には加工材が当接した事を検  出するセンサが装備されている。この固定木口ストッパ３９０は、上ほぞ加工時にストッパヘッドがローラコンベア面上に突出し、ピンチローラ３２１〜３２５によって送られる次の加工材の先端を当接させ、下ほぞ加工位置を決める役割を果たしている。
【００３３】
クロスカットソーユニット５００は、図３，図４に示す様に、主軸モータによって回転する丸鋸５１０を備え、エアシリンダにより昇降する構造となっている。クロスカットソーユニット５００は、丸鋸５１０を回転させて下降動作を実行することにより、加工材を切断する。
【００３４】
面加工ユニット６００Ａ，６００Ｂは、図３〜図６に示す様に、いずれも刃物を装備する第１，第２ルータ軸６１１，６１２、座ぐりキリ軸６１３及びしゃくりカッタ軸６１４を備えており、加工機１の面加工位置Ｐ１を挟んで、１台が前（正面側）に、もう１台が後（背面側）に、互いに対面する様に設置されている。また、各主軸６１１〜６１４は、上下方向に並べて配置されている。そして、これら面加工ユニット６００Ａ，６００Ｂは、それぞれが独立した動作を行うことができる様に構成されている。この独立した動作は、各面加工ユニット６００Ａ，６００Ｂに設けた左右動サーボモータ、上下動サーボモータ及び前後動サーボモータを、後述する制御装置が各独立に制御することによって実行される。各面加工ユニット６００Ａ，６００Ｂは、さらに、各主軸６１１〜６１４のそれぞれに対して突出位置と後退位置を選択的に取ることができる様に主軸毎のエアシリンダを備えている。面加工ユニット６００Ａ，６００Ｂは、エアシリンダを突出位置に動作させることで４つの主軸６１１〜６１４の中から加工に使用する主軸を選択することができる。
【００３５】
面加工ユニット６００Ａ，６００Ｂは、エアシリンダの突出動作によって選択された主軸を回転し、３つのサーボモータを制御することで、前後方向、左右方向及び上下方向の３方向の組み合わせ動作を実行し、第１ルータ軸６１１による貫き穴加工など、第２ルータ軸６１２による差し穴加工，えり輪彫り加工、回り縁加工など、座ぐりキリ軸６１３によるボルト穴加工，座ぐり加工，ピン穴加工など、しゃくりカッタ軸６１４による壁しゃくり加工，ボードしゃくり加工，ラス下しゃくり加工などを実行することができる。
【００３６】
ほぞ加工ユニット７００は、図３，図４，図７〜図９に示す様に、１台のほぞ取り軸モータ７１１を備えている。なお、図７は機械の背面側からほぞ取りユニット７００を見た背面図であって、他の図と左右が逆である。このほぞ取り軸モータ７１１は、図７〜図９における主軸の右端（面加工ユニット６００Ａ，６００Ｂ側）に下ほぞ切削カッタ７２１，下ほぞ先面取りカッタ７２２及び端面仕上げカッタ７２３を装備し、主軸の左端に上ほぞ切削カッタ７３１，上ほぞ先面取りカッタ７３２及び持たせ・回り縁加工カッタ７３３を装備している。また、ほぞ取り軸モータ７１１は、サーボモータ８６６により左右動する。この左右動によって右寄りに移動されたときに下ほぞ加工位置に位置し、左寄りに移動されたときに上ほぞ加工位置に位置する。また、ほぞ取り軸モータ７１１は、ほぞ取り軸前後動用サーボモータ８５６により前後動し、ほぞ取り軸上下動用サーボモータ８４６により上下動する。
【００３７】
上述した刃物の内、下ほぞ切削カッタ７２１及び上ほぞ切削カッタ７３１は、ほぞ取り軸モータ７１１の主軸に固定されている。それ以外のカッタ７２２，７２３，７３２，７３３は、ほぞ長さ変更用サーボモータ８３５により一体的に左右方向（軸方向）に移動する構成となっており、ほぞ取りカッタ７２１（７３１）とほぞ先面取りカッタ７２２（７３３）との間の軸方向間隔を変更することができる。これによってほぞ加工長さを変更することができる。また、ほぞ加工ユニット７００は、下ほぞ側カバー昇降用エアシリンダ７４１により昇降する下ほぞ側カッタカバー７５１と、上ほぞ側カバー昇降用エアシリンダ７４２により昇降する上ほぞ側カッタカバー７５２とを備えている。
【００３８】
上述した各刃物は、次の様な加工を行うためのものである。下ほぞ切削カッタ７２１及び下ほぞ先面取りカッタ７２２は、下ほぞの加工を行うものである。端面仕上げカッタ７２３は、加工材が先端部をクロスカットユニット５００で切断されない場合に木口面の仕上げを実行する。上ほぞ切削カッタ７３１及び上ほぞ先面取りカッタ７３２は、上ほぞの加工を行う。持たせ・回り縁加工カッタ７３３は、回り縁加工や窓台窓まぐさ欠き加工などを実行する。エアシリンダ７４１，７４２は、左右のカバー７５１，７５２を通常時は上昇位置に退避させておき、加工時に下降してカッタ周辺を覆い、切削屑の飛散を防止し集塵効率を上げる役割を持っている。
【００３９】
取出しコンベア部９００は、図１，図２，図１０〜図１３に示す様に、取り出しローラコンベア９１０と、加工材移送位置決めユニット９２０と、印字装置９３０と、加工材押し出し装置９４０と、加工済材受け渡し装置９５０と、ホイールコンベア９８０とを備えている。
【００４０】
取り出しローラコンベア９１０は、フリーローラによって構成されている。この取り出しローラコンベア９１０は、切削加工が終了し、加工材移送位置決めユニット９２０によって送り出されてきた加工材を受ける役割を持っている。
【００４１】
加工材移送位置決めユニット９２０は、サーボモータにより加工材長手方向に移動する。移動範囲はクロスカットソーユニット５００の近くから取り出しコンベア９１０の左端部近くまでになっている。また、把持装置開閉用エアシリンダにより加工材把持装置が開閉し、ストッパ出入用エアシリンダにより木ロストツパが出入りする様に構成されている。この加工材移送位置決めユニット９２０は、加工材の木口又は中間を把持して長手方向（左右方向）に移送し、長手方向の位置決めをする。このとき、加工材の加工部位を面加工位置Ｐ１、下ほぞ加工位置Ｐ２及び上ほぞ加工位置Ｐ３に位置決めする他に、加工材を横転位置及び加工済材押出し位置などへの位置決めも行う。また、加工材の木口又は中間を把持して、加工中の加工材を長手方向に移動するしゃくり加工のための移動も実行する。なお、加工材の位置決めに当たっては、ユニット９２０に備えられている木ロストツパに加工材を押しつけて、基準位置を割り出す様に構成されている。
【００４２】
印字装置９３０は、加工材の上面に部材番号や位置情報を印字するものである。印字装置は、２台のサーボモータで上下方向及び左右方向に移動する。この印字装置９３０は、上下方向移動で加工材高さに印字ヘッドを合わせ、左右方向移動をしながらインクを吐出することで、加工材の上面に印字を実行する。
【００４３】
加工材押し出し装置９４０は、押し出しバー前後動用エアシリンダ９４１により前後動する押し出しバーを備えている。加工材押し出し装置９４０は、切削加工が終了し、取出しコンベア９１０の上にある加工材を加工済材受け渡し装置９５０上の印字位置に押し出す役割を持っている。
【００４４】
加工済材受け渡し装置９５０は、前後動用エアシリンダ９５１により、全体がホイールコンベア９８０の上側ホイールコンベア９８１への受け渡し位置（ホイールコンベア端部）まで前後動する。また、全体昇降用エアシリンダ９５２により、載置部分全体が上側ホイールコンベア９８１の上面より下がった位置まで下降する。さらに、もう一つの短尺材載置部昇降用エアシリンダ９５３により、短尺材載置部分９７０のみが下側ホイールコンベア９８２の上面より下がった位置まで下降する。この加工済み材受け渡し装置９５０は、加工済み材が長い場合、受け渡し装置９５０は、載置された長い木材Ｗｌと共にホイールコンベア９８０の端部まで前方に移動し、載置部分全体が上側ホイールコンベア９８１の上面より下がった位置まで下降し、上側ホイールコンベア９８１の上に加工済みの長い木材Ｗｌを受け渡す。一方、加工済み材が短い場合には、受け渡し装置９５０の短尺材載置部分９７０のみが、載置された短い木材Ｗｓと共に下側ホイールコンベア９８２の上面より下がった位置まで下降し、下側ホイールコンベア９８２に加工済みの短い木材Ｗｓを受け渡す。
【００４５】
ホイールコンベア９８０は、遊転ローラを備え、前方に向かって低くなる様に傾斜した上側ホイールコンベア９８１と下側ホイールコンベア９８２とからなる上下２段の構成になっている。上側ホイールコンベア９８１は長い加工済材を受け取るためのものであり、下側ホイールコンベア９８２は短い加工済材を受け取るものである。コンベア上に受け取られた加工材は自重によってコンベア上を転がり、手前に排出される。
【００４６】
次に、面加工ユニット６００Ａ，６００Ｂの構造的な詳細説明をする。なお、正面側の面加工ユニット６００Ａと背面側の面加工ユニット６００Ｂは、面加工位置に面する方向が異なるだけで構造は同じであるから、以下の説明では、正面側の面加工ユニット６００Ａについて説明する。
【００４７】
図３，図４に示す様に、面加工ユニット６００Ａにおいて、第１ルータ軸６１１、第２ルータ軸６１２、座ぐりキリ軸６１３、しゃくりカッタ軸６１４は、それぞれ、第１ルータ軸前後動べース６２１、第２ルータ軸前後動ベース６２２、座ぐりキリ軸前後動ベース６２３、しゃくりカッタ軸前後動ベース６２４に取り付けられている。これら各前後動ベース６２１〜６２４は、昇降体６３１の図示右側の面に前後方向に伸びる様に設けられた右側レール６３２にガイドされている。そして、各前後動ベース６２１〜６２４は、それぞれ、第１ルータ軸選択エアシリンダ６４１、第２ルータ軸選択エアシリンダ６４２、座ぐりキリ軸選択エアシリンダ６４３、しゃくりカッタ軸選択エアシリンダ６４４の前進・後退動作によって、右側レール６３２に沿って前後動する。これにより、面加工に使用する刃物が選択される。
【００４８】
昇降体６３１の図示左側の面にも前後方向に伸びる左側レール６３３が設けられている。この左側レール６３３には、前後移動体６５１が前後移動可能に取り付けられている。この前後移動体６５１は、前後動用雌ねじ６５２と前後動用雄ねじ６５３によって構成されるネジ送り機構を前後動用サーボモータ６５４によって回転制御することで、前後動が制御される構成となっている。
【００４９】
前述の前後動ベース６２１〜６２４の端部は、前進方向において前後移動体６５１に当接する様になっている。即ち、前後移動体６５１は、前後動ベース６２１〜６２４の前進を妨げる。この結果、前後動ベース６２１〜６２４は、軸選択エアシリンダ６４１〜６４４の前進動作によって前進しようとしても、前後移動体６５１によって前進が規制され、前後移動体６５１が前進するとそれに追従して前進する様に制御される。そして、軸選択エアシリンダ６４１〜６４４の前進動作が継続していても、前後移動体６５１が後退すれば前後動ベース６２１〜６２４は押し戻される。なお、軸選択エアシリンダ６４１〜６４４の後退動作による各前後動べース６２１〜６２４の後退動作は、前後移動体６５１によって規制されない。
【００５０】
この結果、ある加工のために必要な刃物を選ぶために軸選択エアシリンダ６４１〜６４４の内の一つを前進動作させると、当該エアシリンダに対応する前後動ベースが前進し、前後移動体６５１に当接して止まる。このエアシリンダ以外は、すべて後退状態としておく。
【００５１】
昇降体６３１は、コラム６６１に設けた昇降体用レール６６２にガイドされて昇降動作できる様になっている。この昇降動作は、昇降用サーボモータ６６３によって制御される。コラム６６１は、本体ベース６７１上の本体ベース上レール６７２にガイドされて左右方向（加工材の長手方向）に移動できる用になっている。この左右方向の動作は、左右動用サーボモータ６７３によって制御される。なお、昇降用サーボモータ６６３は、ネジ送り機構によって昇降体６３１を昇降させる構成となっている。また、左右動用サーボモータ６７３も、ネジ送り機構によってコラム６６１を左右動させる構成になっている。
【００５２】
加工時には、加工に必要な主軸を回転し、当該主軸６１１〜６１４を取り付けた前後動ベース６２１〜６２４を、軸選択エアシリンダ６４１〜６４４のいずれかを前進動作させて前進させて前後移動体６５１に当接させ、前後動用サーポモータ６５４によって前後動を制御しつつ、昇降用サーボモータ６６３によって昇降動を制御し、さらに、左右動用サーボモータ６７３によって左右動を制御し、加工材を固定状態又は移送状態で側面に対する加工をする。
【００５３】
加工機１が備えている制御装置は、面加工ユニットの制御において、以下の様な加工タイミング調整のための制御処理を実行する。なお、加工データは、柱の長さ、加工部位及び加工形状に関する情報を含んでいる。制御装置は、図１４に示す様に、入力された加工データを加工機１の各部を制御する制御データに変換する。このデータ変換処理においては、加工データにキリによる貫通穴を形成するためのデータが含まれているか否かを判定し（Ｓ１０）、含まれているときは（Ｓ１０：ＹＥＳ）、正面側の面加工ユニット６００Ａによって材幅の中央部まで穴を形成するための駆動制御データを生成すると共に（Ｓ２０）、背面側の面加工ユニット６００Ｂによって材幅の中央部まで穴を形成するための駆動制御データを生成する（Ｓ３０）。次に、その他の加工データについて、それぞれ駆動制御データを生成する（Ｓ４０）。そして、こうして生成した駆動制御データにおいて、柱の同一の加工部位の対面する二面に対して加工を実施させる駆動制御データがあるか否かを判定する（Ｓ５０）。対面する二面に対する加工を実施させる駆動制御データがあるときは（Ｓ５０：ＹＥＳ）、それらの駆動制御データによる加工深さが刃物の干渉を生じるものであるか否かを判定する（Ｓ６０）。前述のＳ２０，Ｓ３０で生成した駆動制御データは、刃物の干渉を生じるデータに相当する。刃物の干渉を生じるデータがあるときは（Ｓ６０：ＹＥＳ）、これらの駆動制御データに、一方の駆動制御データによる加工が終了してからもう一方の駆動制御データによる加工が開始される様に実施タイミングを規制するデータを設定する（Ｓ７０）。一方、対面する二面の加工を指示する駆動制御データがあっても（Ｓ５０：ＹＥＳ）、それらが刃物の干渉を生じるものでないときは（Ｓ６０：ＮＯ）、これらの駆動制御データについては、同時期に加工を行う様に実行タイミングを一致させるデータを設定する（Ｓ８０）。
【００５４】
制御装置において、上述の様な処理を実行することで、本加工機１によれば、刃物が干渉するときは正面側の面加工ユニット６００Ａと背面側の面加工ユニット６００Ｂが同一の加工を同時期に実施しない様に制御され、逆に、刃物の干渉が生じないときは、正面側の面加工ユニット６００Ａと背面側の面加工ユニット６００Ｂがほぼ同時期に加工動作を実行する様に制御される。
【００５５】
この結果、本加工機１によれば、対面して配置した面加工機６００Ａ,６００Ｂにより効率のよい加工を実施しつつ、干渉による刃物の損傷や加工不良の発生、加工精度の低下を防止することができる。また、対面して配置した面加工ユニット６００Ａ，６００Ｂにより、貫通穴の加工を二面から実施するので、貫通穴の出口におけるバリの発生を防止することができる。さらに、二面からの加工で貫通穴を形成することにしたけれども、面加工機６００Ａ、６００Ｂを対面させて配置したので、加工材を横転させる必要がなく、途中で加工材のクランプを解かずに両方のユニット６００Ａ，６００Ｂによる加工を行うことができるから、貫通穴の位置がずれることもない。
【００５６】
次に、ほぞ加工ユニット７００の詳細について説明する。
【００５７】
図７〜図９に示す様に、ほぞ取り軸モータ７１１の下ほぞ側主軸８０１の端部には下ほぞ切削カッタ７２１が取り付けてあり、下ほぞ側カッタフランジ８０３には下ほぞ先面取りカッタ７２２と端面仕上げカッタ７２３が取り付けてある。ここで、下ほぞ側カッタフランジ８０３は、ほぞ取り軸モータ７１１の下ほぞ側主軸８０１に嵌合している。この嵌合状態は、下ほぞ側カッタフランジ８０３が下ほぞ側主軸８０１に対して軸方向移動可能なものであり、キー８０５により下ほぞ側カッタフランジ８０３が下ほぞ側主軸８０１と共に回転する様になされている。下ほぞ側ベアリングケース８０７は、ベアリング８０９を介して下ほぞ側カッタフランジ８０３を受けている。この結果、下ほぞ先面取りカッタ７２２と端面仕上げカッタ７２３は、下ほぞ側主軸８０１に沿って移動することで、下ほぞ切削カッタ７２１に対する軸方向位置を変えることができる。
【００５８】
ほぞ取り軸モータ７１１の上ほぞ側主軸８１１の端部には上ほぞ切削カッタ７３１が取り付けてあり、上ほぞ側カッタフランジ８１３には、上ほぞ先面取りカッタ７３２と持たせ・回り縁用カッタ７３３が取り付けてある。ここで、上ほぞ側カッタフランジ８１３も、下ほぞ側カッタフランジ８０３と同様に、ほぞ取り軸モータ７１１の上ほぞ側主軸８１１に、軸方向移動可能でかつ軸と共に回転する様に、キー８１５によるキー結合によって嵌合されている。上ほぞ側ベアリングケース８１７は、ベアリング８１９を介して上ほぞ側カッタフランジ８１３を受けている。この結果、上ほぞ先面取りカッタ７３２と持たせ・回り縁用カッタ７３３は、ほぞ取り軸モータ７１１によって回転し、かつ、上ほぞ切削カッタ７３１に対する軸方向位置を変えることができる。
【００５９】
これら上ほぞ先面取りカッタ７３２及び持たせ・回り縁用カッタ７３３と上ほぞ切削カッタ７３１との軸方向位置関係、下ほぞ先面取りカッタ７２２及び端面仕上げカッタ７２３と下ほぞ切削カッタ７２１との軸方向位置関係は、ほぞ長さ変更体８３１により調整される。
【００６０】
ほぞ長さ変更移動体８３１は、昇降体８４１のレール（図示なし）によってガイドされ、左右方向に移動できる。ほぞ長さ変更移動体８３１の両端部と下ほぞ側ベアリングケース８０７及び上ほぞ側ベアリングケース８１７は、一体的に繋がっている。そして、ほぞ長さ変更移動体８３１は、雌ねじ８３２及び雄ねじ８３３によって構成されるネジ送り機構を、ほぞ長さ変更用サーボモータ８３５によって駆動制御することにより、左右動を行う。このほぞ長さ変更体８３１の左右動作位置により、上ほぞ先面取りカッタ７３２と上ほぞ切削カッタ７３１との軸方向位置、下ほぞ先面取りカッタ７２２と下ほぞ切削カッタ７２１との軸方向位置をサーボモータ８３５による制御で調整することにより、本加工機１によれば、下ほぞ及び上ほぞの加工長さを任意に変えることができる。
【００６１】
昇降体８４１は、コラム８４２のレール８４３によってガイドされ、上下方向に移動できる様に構成されている。昇降体８４１は、昇降用雌ねじ８４４及び昇降用雄ねじ８４５によって構成されるネジ送り機構を昇降用サーボモータ８４６によって制御することにより、上下動を制御されている。また、コラム８４２は、左右動ベース８５１上のレール８５２によってガイドされて前後方向に移動できる様に構成されている。そして、このコラム８４２は、前後動用雌ねじ８５４及び前後動用雄ねじ８５５によって構成されるネジ送り機構を前後動用サーボモータ８５６によって制御することで、前後動が制御されている。さらに、左右動ベース８５１はベッド８６１上のレール８６２によってガイドされて左右方向に移動できる様に構成されている。そして、左右動ベース８５１は、左右動用雌ねじ８６４及び左右動用雄ねじ８６５によって構成されるネジ送り機構を左右動用サーボモータ８６６によって制御することで、左右動が制御されている。
【００６２】
ほぞ取り軸モータ７１１の軸に取り付けられた各カッタ７２１〜７２３，７３１〜７３３は、前述のサーボモータ８３５によって位置関係を制御することで、任意なほぞ加工長さに設定することができる。そして、ほぞ取り軸モータ７１１を回転し、移動用のサーボモータ８４６，８５６，８６６による移動制御により、加工材の端部にほぞを切削する。
【００６３】
ここで、このほぞ長さ変更用サーボモータ８３５によるほぞ長さ変更制御の内容を説明する。この制御は、制御装置が、図１５に示した様な制御処理を実行することによって実現される。このほぞ長さ変更制御では、入力された加工データから、下ほぞの長さを特定する（Ｓ１１０）。また、上ほぞの長さも特定する（Ｓ１２０）。そして、Ｓ１１０で特定した下ほぞの長さに応じてサーボモータ８３５を駆動制御し、下ほぞ先面取りカッタ７２２が下ほぞ長さに対応する位置となる様に移動させる（Ｓ１３０）。そして、下ほぞの加工が済んだか否かを判定し（Ｓ１４０）。下ほぞの加工が済んだと判定されたら（Ｓ１４０：ＹＥＳ）、Ｓ１２０で特定した上ほぞ長さに応じたほぞ長さ変更が必要か否かを判定する（Ｓ１５０）。そして、上ほぞ長さに応じたほぞ長さ変更が必要と判定されたときは（Ｓ１５０：ＹＥＳ）、Ｓ１２０で特定した上ほぞの長さに応じてサーボモータ８３５を駆動制御し、上ほぞ先面取りカッタ７３２が上ほぞ長さに対応する位置となる様に移動させる（Ｓ１６０）。
【００６４】
次に、このほぞ加工の際の加工材の位置決めに関する特徴について説明する。位置決め用として、前述の左右動ベース８５１上の台８７１によってガイドされ、上下方向に動作するストッパ昇降用ガイドシャフト８７２の上端部にストッパヘッド８７３が取り付けてある。ストッパヘッド８７３は、エアシリンダ８７４によってストッパ昇降用ガイドシャフト８７２と共に上下動する。ストッパヘッド８７３には加工材Ｗの端部が当接した場合を検出する加工材端面検出センサ８７５が取り付けてある。
【００６５】
次に、ストッパの動作について説明する。先に加工をする加工材（以下、「先入れ材」という。）の上ほぞ加工時に、ストッパヘッド８７３が上昇する。先入れ材の次に加工する加工材（以下、「後入れ材」という。）は、ピンチローラ３２１〜３２５によって送り込まれ、先端部がストッパヘッド８７３に当接して停止する（図７のＷ（後入れ材）の停止状態参照。）。このとき、ストッパヘッド８７３の加工材端面検出センサ８７５が端面を検出し、第４バイス３４４及び第１上クランプ３５１によって加工材Ｗを固定する。すると、ストッパヘッド８７３は下降する。そして、先入れ材の上ほぞ加工が終了すると、後入れ材の下ほぞ加工を開始する。なお、先入れ材は、位置決めユニット９２０によって上ほぞ加工のための位置決めがなされる。この様に、ほぞ加工ユニット７００の下ほぞ側主軸８０１の先端近傍に当該先端から所定距離離して出没するストッパヘッド８７３を備えたことにより、先入れ材の上ほぞを加工している最中に、後入れ材を下ほぞ加工位置に位置決めしておくことができる。
【００６６】
このストッパの動作は、制御装置が図１６に示す制御処理を実行することによって実施される。制御装置は、上ほぞ加工を実行するタイミングにおいて、加工データから、次の加工材があるか否かを判定する（Ｓ２１０）。そして、次の加工材がある場合は（Ｓ２１０：ＹＥＳ）、ストッパ昇降用のエアシリンダ８７４に対してロッド前進動作をさせるための指令信号を出力する（Ｓ２２０）。その後、加工材端面検出センサ８７５により後入れ材が検出されたか否かを判定する（Ｓ２３０）。後入れ材が検出されたら（Ｓ２３０：ＹＥＳ）、第４バイス３４４及び第１上クランプ３５１に対してクランプ動作の指令信号を出力する（Ｓ２４０）。そして、第４バイス３４４及び第１上クランプ３５１によるクランプが完了するのを待って（Ｓ２５０）、エアシリンダ８７４に対してロッド後退動作をさせるための指令信号を出力する（Ｓ２６０）。なお、第４バイス３４４及び第１上クランプ３５１によるクランプ動作が終了したか否かは、クランプ動作を指令してからの経過時間、あるいは第４バイス３４４等からの動作終了信号の入力等によって判定することができる。
【００６７】
次に、ほぞ加工ユニット７００の備える各刃物の役割について説明する。
【００６８】
下ほぞ切削カッタ７２１は、加工材の先端から下ほぞを削り出す役割を持っている。この下ほぞ切削カッタ７２１によるほぞ削り出し加工時に、下ほぞ先面取りカッタ７２２は、下ほぞの先端に面取り加工を施す役割をもっている。端面仕上げカッタ７２３は、加工材がクロスカットソー５００で端切りされているときは実質的に作用することはない。しかし、加工材が上流のクロスカットソー５００で先端を端切りされない場合は、端面仕上げカッタ７２３が作用して、下ほぞの先端面を仕上げる。上流のクロスカットソーユニット５００による先端の端切りは、素材の先端部の状態が悪く、ある長さを予め切断して棄てたい場合に行う。一方、素材の先端部の状態が良く、端面仕上げカッタ７２３できれいに加工できる場合には、クロスカットソーユニット５００による端切りをしなくても構わない。そして、この様にする方が、端切り工程を省き、ほぞ切削加工と並行して端面仕上げ加工を同時に行うことができるので、加工時間を短縮して加工効率をアップすることができる。本加工機１が端面仕上げカッタ７２３を備えたのはこの理由による。
【００６９】
上ほぞ切削カッタ７３１は、加工材の後端から上ほぞを削り出す役割を持っている。この上ほぞ切削カッタ７３１によるほぞ削り出し加工時に、上ほぞ先面取りカッタ７３２が上ほぞの先端に面取り加工を施す。このとき、持たせ・回り縁用カッタ７３３は切削動作を行わない。持たせ・回り縁用カッタ７３３は、ほぞの切削加工時には使用せず、持たせ、回り縁、窓台窓まぐさ欠き加工などの時に使用するものである。上ほぞ側について端面仕上げカッタを備えないのは、本加工機１の場合、上ほぞは加工材の投入方向後端となるので、柱の全長を決めるために上流のクロスカットソーユニット５００による切断が必須となるからである。
【００７０】
本加工機１では、上述の如く、サーボモータ８３５によって、下ほぞ切削カッタ７２１と下ほぞ先端面取りカッタ７２２及び端面仕上げカッタ７２３との位置関係を任意に調整できるので、下ほぞの長さを任意に変更することができる。また、同じくサーボモータ８３５によって、上ほぞ切削カッタ７３１と上ほぞ先端面取りカッタ７３２との位置関係を調整することで、上ほぞの長さを任意とすることができる。ここで、下ほぞを長くするためにサーボモータ８３５で下ほぞ先端面取りカッタ７２２を主軸モータ側に移動させると、反対側の上ほぞ端面仕上げカッタ７３２はモータから離れる方向に移動する。これは、本加工機１ではほぞ長さ調整用のサーボモータを１台にしたからである。しかし、本加工機１では、下ほぞと上ほぞを同時に加工することはないので、サーボモータ１台で、下ほぞも上ほぞも任意の長さとすることができる。逆に、サーボモータを１台とすることで、ほぞ加工ユニット７００の主軸モーター部分にほぞ長さ変更機構を収めることができている。
【００７１】
次に、取り出しコンベア部９００の詳細な構成について説明する。
【００７２】
図１０〜図１３に示す様に、取り出しコンベア部９００は、前述の様に、取り出しコンベア９１０と、加工材移送位置決めユニット９２０と、印字装置９３０と、加工材押し出し装置９４０と、加工済材受け渡し装置９５０と、ホイールコンベア９８０とを備えている。
【００７３】
加工済み材受け渡し装置９５０には、長尺材載置部分９６０と、短尺材載置部分９７０とが備えられている。長尺材載置部分９６０は、取り出しローラコンベア９１０の下方に伸びる３カ所の昇降ガイド支持部材９１１の前面に取り付けられた昇降ガイドレール９６１と、各昇降ガイドレール９６１にガイドされ、全体昇降用エアシリンダ９５２によって昇降する昇降体９６３と、各昇降体９６３の上面に取り付けられた前後動ガイドレール９６４と、この前後動ガイドレール９６４の上に前後動可能に取り付けられた前後動ビーム９６５と、この前後動ビーム９６５を前後動させる前後動用エアシリンダ９５１と、前後動ビーム９６５の前面に取り付けられたステー９６７と、このステー９６７に取り付けられた長尺材受け渡しバー９６８とを備えている。前後動ビーム９６５は、取り出しローラコンベア９１０とほぼ同じ長さを有している。前後動用エアシリンダ９５１は、その本体が取り出しローラコンベア９１０に固定されている。なお、長尺材受け渡しバー９６８は、短尺材載置部分９７０には存在していない。
【００７４】
短尺材載置部分９７０には、前後動ビーム９６５の上に取り付けられた長さの短い短尺材支えバー９７１と、前後動ビーム９６５に取り付けられた昇降ガイド体９７２と、この昇降ガイド体９７２の前面に取り付けられた昇降ガイドレール９７３と、昇降ガイドレール９７３にガイドされる昇降体９７４と、昇降体９７４に取り付けられたステー９７５と、ステー９７５に取り付けられた短尺材受け渡しバー９７６と、昇降体９７４を昇降させる短尺材載置部昇降用エアシリンダ９５３とを備えている。
【００７５】
長尺材受け渡し装置９６０から長尺の加工済み材を受け渡される上側ホイールコンベア９８１は、長いものから短いものまで、加工材長さ全般に対応した位置に設置されている。上側ホイールコンベア９８１は、前述の通り、手前が低く傾斜しており、先端の加工材受け渡し部分のローラ上面は、取り出しローラコンベア９１０のローラ上面よりやや低くしてある。この高さはまた、上昇時の受け渡しバー９６８，９７６の上面よりもやや低くしてある。下側ホイールコンベア９８２は、短尺の加工済み材に対応したもので、短尺材の長さに対応した範囲に設置されている。また、下側ホイールコンベア９８２は、上側ホイールコンベア９８１の下に入り込む様に設置されており、前述の様に、手前が低くなる傾斜を有している。
【００７６】
次に、長尺材用受け渡しバー９６８、短寸受け渡しバー９７１及び短尺材用受け渡しバー９７６の作用について説明する。
【００７７】
加工材の押し出し時、印字時、受け渡しスタート時は、全体昇降用エアシリンダ９５２がロッド突出状態にあり、受け渡しバー９６８，９７１，９７６は全て上昇位置にある。この受け渡しバー９６８，９７１，９７６の上昇位置の高さは、取り出しローラコンベア９１０のローラ上面と一致している。また、このとき、前後動用エアシリンダ９５１はロッド後退状態になっている。
【００７８】
加工材押し出し装置９４０による加工材押し出し動作によって、加工材は取り出しローラコンベア９１０の上面及び各受け渡しバー９６８，９７１，９７６の上面を滑って移動し、図１１に示す様に、長い木材Ｗｌは長尺材受け渡しバー９６８及び短尺材受け渡しバー９７６に載置され、取り出しローラコンベア９１０の手前に移動した状態になる。短い木材Ｗｓは、短尺材受け渡しバー９７６にだけ載置されて取り出しローラコンベア９１０の手前に移動した状態になる。
【００７９】
受け渡しバー９６８，９７１，９７６は、全体昇降用エアシリンダ９５２の動作によって、受け渡し部全体として昇降する。なお、上昇時は、前述の様に、取り出しローラコンベア９１０と同じ高さにあり、上側ホイールコンベア９８１よりも高い位置になっている。一方、下降時の高さは、上側ホイールコンベア９８１の最上部のローラ上面よりもやや低くなる。
【００８０】
受け渡しバー９６８，９７１，９７６は、前後動用エアシリンダ９５１の動作によって、全体的に前進・後退動作を行う。前進時は、受け渡しバー９６８，９７６の先端が、上側ホイールコンベア９８１のカバーする領域に、加工材の幅寸法程度交差するところまで入り込んだ位置関係になる。また後退時には、受け渡しバー９６８，９７６の先端が下側ホイールコンベア９８２のカバーする領域において、加工材の幅寸法程度交差する位置関係になる。
【００８１】
短尺材受け渡しバー９７６は、短尺材載置部昇降用エアシリンダ９５３の前進・後退動作によって、長尺材受け渡しバー９６８とは独立した昇降動作を実行する。この短尺材載置部昇降用エアシリンダ９５３による短尺材受け渡しバー９７６の下降時の高さは、下側ホイールコンベア９８２の先端部（加工材受け渡し部分）のローラ上面よりやや低い位置となる。なお、この下降位置は、全体昇降用エアシリンダ９５２のロッド後退動作による下降と、短尺材載置部昇降用エアシリンダ９５３のロッド後退動作による下降の合計によって達成される。本加工機１では、この様に構成したので、短尺材載置部昇降用エアシリンダ９５３のストロークは、全体昇降用エアシリンダ９５２のストローク分だけ短くすることができるという効果が発揮される。
【００８２】
次に、加工材の長さに応じた排出動作をそれぞれ説明する。
【００８３】
［加工材が長尺である場合の排出動作］
加工材Ｗｌは、長尺材受け渡しバー９６８及び短尺材受け渡しバー９７６の上に載っている（図１１のＷｌ及び図１２，図１３のＷａの状態）。この状態で、前後動用エアシリンダ９５１にロッド前進動作をさせることで、加工材Ｗｌは上側ホイールコンベア９８１の先端上部に送られる。続いて、全体昇降用エアシリンダ９５２にロッド後退動作をさせることにより、受け渡しバー９６８，９７６は、上側ホイールコンベア９８１の先端部高さよりやや低い位置まで下降する。この結果、加工材Ｗｌは、上側ホイールコンベア９８１の先端上部に掛かった状態となる（図１２，図１３のＷｂ参照）。受け渡しバー９６８，９７１，９７６は、さらに少し下降する。この結果、加工材Ｗｌは、上側ホイールコンベア９８１の上を、コンベアの傾斜によって転がり排出される。こうして加工材を排出したら、前後動用エアシリンダ９５１は後退動作し、全体昇降用エアシリンダ９５２は上昇動作し、受け渡しバー９６８，９７１，９７６は元の状態になる。
【００８４】
［加工材が短尺である場合の排出動作］
加工材Ｗｓは、短尺材受け渡しバー９７６の上に載っている。この状態で、全体昇降用エアシリンダ９５２及び短尺材受け渡し部昇降用エアシリンダ９５３の下降動作により、加工材Ｗｓは、下側ホイールコンベア９８２の先端上部に載せられる（図１２のＷｃの状態）。短尺材受け渡しバー９７６は更に少し下降する。すると、加工材Ｗｓは、下側ホイールコンベア９８２の上を、その傾斜によって手前に転がり排出される。こうして加工材Ｗｓを排出したら、全体昇降用エアシリンダ９５２及び短尺材受け渡し部昇降用エアシリンダ９５３は上昇動作し、短尺材受け渡しバー９７６は元の状態に戻る。
【００８５】
前述の排出動作は、制御装置が、加工データに基づいて以下の制御処理を行うことにより実行される。図１７に示す様に、加工データから加工済み材の長さＬを取得し（Ｓ３１０）、この長さが予め定めた短尺材長さＬ１以下であるか否かを判定し（Ｓ３２０）、Ｌ≦Ｌ１のときは、上述した加工材が短尺である場合の排出動作を実行させる様に全体昇降用エアシリンダ９５２及び短尺材受け渡し部昇降用エアシリンダ９５３に対して制御指令を出力し（Ｓ３３０）、Ｌ＞Ｌ１のときは、上述した加工材が長尺である場合の排出動作を実行させる様に、前後動用エアシリンダ９５１及び全体昇降用エアシリンダ９５２に対して制御指令を出力する（Ｓ３４０）。
【００８６】
以上、本発明の一実施の形態について説明したが、本発明は上述した実施の形態に限られることなく、その要旨を逸脱しない範囲内において、さらに種々の態様にて実施することができる。
【００８７】
例えば、ほぞ長さ変更制御は、制御盤にほぞ長さを指定するスイッチ等を設けておき、オペレータによるスイッチ操作があったときに図１５で説明したのと同様の制御処理を実行してほぞ長さを変更する様にしてもよい。また、実施の形態は、下ほぞと上ほぞの両方を木材を反転させなくても加工できる様に構成されているが、主軸の一端にだけほぞ切削カッタ及びほぞ先面取りカッタを備え、ほぞ先面取りカッタは、キー結合又はスプライン結合により主軸に嵌合させておき、このほぞ先面取りカッタの軸方向位置をサーボモータで任意の位置に変更し得る様に構成し、下ほぞ加工後に木材を反転させて上ほぞを加工する様な加工機として本発明を実施することもできる。
【図面の簡単な説明】
【００８８】
【図１】実施の形態の柱材プレカット加工機の正面図である。
【図２】実施の形態の柱材プレカット加工機の平面図である。
【図３】実施の形態の柱材プレカット加工機における加工機本体部分の拡大正面図である。
【図４】実施の形態の柱材プレカット加工機の加工機本体部分の拡大平面図である。
【図５】実施の形態の柱材プレカット加工機の加工機本体部分の拡大正面図である。
【図６】実施の形態の柱材プレカット加工機の面加工ユニットの拡大平面図である。
【図７】実施の形態の柱材プレカット加工機のほぞ加工ユニットの拡大背面図である。
【図８】実施の形態の柱材プレカット加工機のほぞ加工ユニットの拡大平面図である。
【図９】実施の形態の柱材プレカット加工機のほぞ加工軸の拡大平面図である。
【図１０】実施の形態の柱材プレカット加工機の取り出しコンベア部の拡大正面図である。
【図１１】実施の形態の柱材プレカット加工機の取り出しコンベア部の拡大平面図である。
【図１２】実施の形態の柱材プレカット加工機の取り出しコンベア部の拡大右側面図である。
【図１３】実施の形態の柱材プレカット加工機の取り出しコンベア部の拡大左側面図である。
【図１４】実施の形態の柱材プレカット加工機の制御装置による面加工における加工タイミング調整のための駆動制御データ生成処理の手順を示すフローチャートである。
【図１５】実施の形態の柱材プレカット加工機の制御装置によるほぞ長さ変更制御の処理手順を示すフローチャートである。
【図１６】実施の形態の柱材プレカット加工機の制御装置による後入れ材位置決め制御の処理手順を示すフローチャートである。
【図１７】実施の形態の柱材プレカット加工機の制御装置による加工済み材排出制御の処理手順を示すフローチャートである。
【図１８】従来技術を示す説明図である。
【符号の説明】
【００８９】
１・・・柱材プレカット加工機
１００・・・投入コンベア部
１１０・・・素材ストックコンベア
１２０・・・移送体
１３０・・・投入コンベア
１４０・・・残材取り出し装置
３００・・・加工機本体部
３１０・・・テーブルローラ群
３２１〜３２５・・・第１〜第５ピンチローラ
３３１，３３２・・・第１，第２傾斜ローラ
３４１〜３４５・・・第１〜第５バイス
３５１・・・第１上クランプ
３５２・・・第２上クランプ
３６１，３６２・・・第１，第２求芯ローラ
３７１，３７２・・・第１，第２上押さえローラ
３８１〜３８４・・・第１〜第４横転装置
５００・・・クロスカットソーユニット
５１０・・・丸鋸
６００Ａ，６００Ｂ・・・面加工ユニット
６１１・・・第１ルータ軸
６１２・・・第２ルータ軸
６１３・・・座ぐりキリ軸
６１４・・・しゃくりカッタ軸
６２１・・・第１ルータ軸前後動べース
６２２・・・第２ルータ軸前後動ベース
６２３・・・座ぐりキリ軸前後動ベース
６２４・・・しゃくりカッタ軸前後動ベース
６３１・・・昇降体
６３２・・・右側レール
６３３・・・左側レール
６４１・・・第１ルータ軸選択エアシリンダ
６４２・・・第２ルータ軸選択エアシリンダ
６４３・・・座ぐりキリ軸選択エアシリンダ
６４４・・・しゃくりカッタ軸選択エアシリンダ
６５１・・・前後移動体
６５２・・・前後動用雌ねじ
６５３・・・前後動用雄ねじ
６５４・・・前後動用サーボモータ
６６１・・・コラム
６６２・・・昇降体用レール
６６３・・・昇降用サーボモータ
６７１・・・本体ベース
６７２・・・本体ベース上レール
６７３・・・左右動用サーボモータ
７００・・・ほぞ加工ユニット
７１１・・・ほぞ取り軸モータ
７２１・・・下ほぞ切削カッタ
７２２・・・下ほぞ先面取りカッタ
７２３・・・端面仕上げカッタ
７３１・・・上ほぞ切削カッタ
７３２・・・上ほぞ先面取りカッタ
７３３・・・持たせ・回り縁加工カッタ
７４１・・・下ほぞ側カバー昇降用エアシリンダ
７４２・・・上ほぞ側カバー昇降用エアシリンダ
７５１・・・下ほぞ側カッタカバー
７５２・・・上ほぞ側カッタカバー
８０１・・・下ほぞ側主軸
８０３・・・下ほぞ側カッタフランジ
８０５・・・キー
８０７・・・下ほぞ側ベアリングケース
８０９・・・ベアリング
８１１・・・上ほぞ側主軸
８１３・・・上ほぞ側カッタフランジ
８１５・・・キー
８１７・・・上ほぞ側ベアリングケース
８１９・・・ベアリング
８３１・・・ほぞ長さ変更体
８３２・・・雌ねじ
８３３・・・雄ねじ
８３５・・・ほぞ長さ変更用サーボモータ
８４１・・・昇降体
８４２・・・コラム
８４３・・・レール
８４４・・・昇降用雌ねじ
８４５・・・昇降用雄ねじ
８４６・・・昇降用サーボモータ
８５１・・・左右動ベース
８５２・・・レール
８５４・・・前後動用雌ねじ
８５５・・・前後動用雄ねじ
８５６・・・前後動用サーボモータ
８６１・・・ベッド
８６２・・・レール
８６４・・・左右動用雌ねじ
８６５・・・左右動用雄ねじ
８６６・・・左右動用サーボモータ
８７１・・・台
８７２・・・ストッパ昇降用ガイドシャフト
８７３・・・ストッパヘッド
８７４・・・エアシリンダ
８７５・・・加工材端面検出センサ
９００・・・取り出しコンベア部
９１０・・・取り出しローラコンベア
９１１・・・昇降ガイド支持部材
９２０・・・加工材移送位置決めユニット
９３０・・・印字装置
９４０・・・加工材押し出し装置
９４１・・・押し出しバー前後動用エアシリンダ
９５０・・・加工済材受け渡し装置
９５１・・・前後動用エアシリンダ
９５２・・・全体昇降用エアシリンダ
９５３・・・短尺材載置部昇降用エアシリンダ
９６０・・・長尺材載置部分
９６１・・・昇降ガイドレール
９６３・・・昇降体
９６４・・・前後動ガイドレール
９６５・・・前後動ビーム
９６７・・・ステー
９６８・・・長尺材受け渡しバー
９７０・・・短尺材載置部分
９７１・・・短寸受け渡しバー
９７２・・・昇降ガイド体
９７３・・・昇降ガイドレール
９７４・・・昇降体
９７５・・・ステー
９７６・・・短尺材受け渡しバー
９８０・・・ホイールコンベア
９８１・・・上側ホイールコンベア
９８２・・・下側ホイールコンベア
Ｐ１・・・面加工位置
Ｐ２・・・上ほぞ加工位置
Ｐ３・・・下ほぞ加工位置
【図１】
2005144964.tif 000003
【図２】
2005144964.tif 000004
【図３】
2005144964.tif 000005
【図４】
2005144964.tif 000006
【図５】
2005144964.tif 000007
【図６】
2005144964.tif 000008
【図７】
2005144964.tif 000009
【図８】
2005144964.tif 000010
【図９】
2005144964.tif 000011
【図１０】
2005144964.tif 000012
【図１１】
2005144964.tif 000013
【図１２】
2005144964.tif 000014
【図１３】
2005144964.tif 000015
【図１４】
2005144964.tif 000016
【図１５】
2005144964.tif 000017
【図１６】
2005144964.tif 000018
【図１７】
2005144964.tif 000019
【図１８】
2005144964.tif 000020